(57)【要約】【課題】被収納物を周囲に視覚を損なうことなく空間部を保ちながら、確実に安定して収納することができ、容器の組立も、商品の収納、固定も簡便であり、展示用に好適な容器を提供する。【解決手段】被収納物Ｓ外周にゆとり空間のある筒状に組立可能な側板部１を有し、この面内に平坦側面部３を形成し、この上下に罫線のヒンジ７、８を介して蓋面５、６を連設し、蓋面は縁部の内側を若干高さの段部５ｂ、６ｂを介して容器内方に突出した内凸面５ｃ、６ｃとし、中央部付近に段部高さ相当の外方突出した内凹部５ｄ、６ｄを、被収納物Ｓの上下端部を嵌合保持可能な大きさ形状で形成し、ヒンジ対向側端部に蓋開放方向に傾斜する傾斜面部９を形成した。【選択図】　　　図１
2004115083.tif 000002
【特許請求の範囲】
【請求項１】
筒状に形成可能な側板部の上下に蓋面を折り曲げ罫線を介して連設し、蓋面の中央部付近に被収納物の上下部を保持可能な凹凸部をそれぞれ形成してなる構成を有する組立容器用のプラスチックシート。
【請求項２】
蓋面のヒンジ対向端側の嵌合部に、外方が蓋の開放方向に傾斜する傾斜面部を形成してなる構成を有する請求項１に記載のプラスチックシート。
【請求項３】
側板部を折曲して筒状の容器本体部を形成し、側板部の上下部に連設しかつ中央部付近に被収納物の上下部を保持可能な凹凸部を形成した蓋面を容器本体部に嵌合し、上下の凹凸部間に被収納物を支持させるとともに、被収納物の周囲に空間部を維持する構成を有するプラスチックシート製組立容器。
【発明の詳細な説明】
【０００１】
【発明の属する技術分野】
本発明は、組立容器用のプラスチックシート及び組立容器に関する。
【０００２】
【従来の技術】
透明性が良好で剛性もあるアモルファスポリエチレンテレフタレート（Ａ―ＰＥＴ）などのプラスチックシートで成形し、収納した商品の展示効果を上げるようにした組立容器が造られている。被収納物はそのまま容器内に入れられるか或いは中容器に支持させた状態で中容器ごと収納していた。
また、容器周側面に複数の内方突起を形成した容器を提供し、この突起によって容器内でがたつくことなく被収納物を支持させるようにした構成が下記文献に示されている。
【０００３】
【特許文献１】
特開２００２−１０４３９４号公報
【０００４】
【発明が解決しようとする課題】
被収納物（商品）を容器入りのまま透視状態で展示するには、容器内に被収納物を直接入れなければならないが、がたつくことなく安定して収納できなければならず、しかも展示効果を高めるためには、容器周面と被収納物との間にゆとり空間が存在し、被収納物の外周には視覚を損なうおそれのあるものが可能なかぎり存在しない方が望ましく、このような容器の提供が求められる。
本発明は、上記観点に着眼してなしたものであり、被収納物の周囲に視覚を損なうことなく空間部を保ちながら、被収納物を確実に安定して収納することができ、容器の組立も、商品の収納も、商品の固定も簡便であり、展示用に好適なプラスチックシート及び組立容器を提供せんとするものである。
【０００５】
【課題を解決するための手段】
上記課題を解決するために、本発明は、筒状に形成可能な側板部の上下に蓋面を折り曲げ罫線を介して連設し、蓋面の中央部付近に被収納物の上下部を保持可能な凹凸部をそれぞれ形成した構成を有して組立容器用のプラスチックシートとなしたことを特徴とする。
上記蓋面のヒンジ対向端側の嵌合部には、外方が蓋の開放方向に傾斜する傾斜面部を形成するのが好ましい。
また、本発明は、側板部を折曲して筒状の容器本体部を形成し、側板部の上下部に連設しかつ中央部付近に被収納物の上下部を保持可能な凹凸部を形成した蓋面を容器本体部に嵌合し、上下の凹凸部間に被収納物を支持させるとともに、被収納物の周囲に空間部を維持する構成を有してプラスチック製の組立容器としたことも特徴とする。
【０００６】
【発明の実施の形態】
以下、本発明の一例としての実施の形態を図面によって説明する。
図１は本発明に係るプラスチックシートの一例を示す展開図、図２はその組立容器の斜視図、図３は蓋面部分図、図４は組立容器の縦断面図であり、図５は別の一例図である。
【０００７】
図１は、組立容器を形成するためのプラスチックシートであり、Ａ−ＰＥＴ、ポリプロピレン、ポリエチレン、ポリスチレン、ポリカーボネート、生分解性樹脂、その他の単体又は複合体としてなるプラスチックシート材を加圧加工し、輪郭を打ち抜き加工して形成してある。
このシートは、被収納物Ｓの外周にゆとり空間をもたせ得る大きさで円筒状の容器本体部１ａとして組立可能な側板部１を有し、その少なくとも一側縁部は糊代部２とし、上下に連設する蓋面のヒンジ巾分と略同巾分の平坦側面部３を画成する折り曲げ罫線４を側板部１内に形成し、この平坦側面部３の上下に上記円筒形状に合致する蓋面５、６を連設し、この連設部には折り曲げ罫線を形成してヒンジ７、８としてある。
【０００８】
蓋面５、６は、円筒状に形成した容器本体部１ａの上周端に当接する円形の縁部５ａ、６ａの内側を、容器本体部内に嵌合する若干高さの段部５ｂ、６ｂを介して容器内方に突出した内凸面５ｃ、６ｃとし、この内凸面の中央部付近に上記段部の高さ分相当で外方に突出した内凹部５ｄ、６ｄを形成し、この内凹部５ｄ、６ｄは図では円形として示してあるが、被収納物Ｓの上下端部をそれぞれ嵌合保持可能な大きさ形状として形成してある。
なお、上記内凹部５ｄ、６ｄに代えて連続乃至断続状の環状の内凸部を形成するなどして嵌合構成としてもよい。
ヒンジ７、８とは対向側の内凸面端部から段部部分に至って、外方が蓋の開放方向に傾斜する傾斜面部９を形成した構成としてある。
なお、図４では、被収納物Ｓの上部に円筒状キャップＳ１が被嵌されており、内凹部５ｄにはこの円筒状キャップＳ１の上端部が嵌合するようにしてある。
【０００９】
上記シートにより組立容器を形成するには、側板部１を折曲して筒状とし、糊代部２を側板部１の反対側縁部に接合して、ホットメルト接着剤その他の接着剤或いは融着などにより接着して容器本体部１ａを形成し、底の蓋面６を閉じ、上方から容器本体部１ａ内に被収納物Ｓを挿入して、その下部を内凹部６ｄに嵌合させ、その上で上の蓋面５を閉じ、その内凹部５ｄを被収納物Ｓの上部に嵌合させればよく、被収納物Ｓの周囲に空間部Ｗが形成され保持されることになる。
組立容器は、被収納物が上下の蓋面５、６に同時に嵌合していることにより、安定した位置に固定されるとともに、容器自体の組立状態つまり立体形が、嵌合した被収納物Ｓによって保持されるので、特別な固定構造を採用しなくともよいものとなる。なお、必要に応じて蓋面５、６の周縁部と容器本体部１ａの端部に跨って粘着テープを周着することができる。
【００１０】
上記組立容器は、シンプルな構成で透明性が高く、側面板の内側に空間部Ｗを保ち、容器内方に商品を収納した状態で展示できるので、被収納物が見やすくなり、かつ展示外観に高級感とゆとりを与え、被収納物を強調できるものとなる。蓋面５、６は傾斜面部９が形成してあれば、傾斜面が案内面として働くので、被蓋および開蓋操作がいずれもより一層安定的確実にかつ容易に行えるようになる。
上記プラスチックシートは平坦シートを熱加工、型抜きして成形することができ、また、組立容器は折り曲げ罫線で折曲して糊代部を接着するだけなので、簡易に組み立て可能である。
【００１１】
上記では組立容器を円筒形状を例として説明したが、本発明は、図５に示すごとく六角筒形状、或いはその他の任意筒形状として形成することができるものである。蓋面に形成する凹凸部も同様である。多角形などの場合は、側板部には形状に応じて必要な折り曲げ罫線を設ければよい。
【００１２】
【発明の効果】
上記のように本発明によれば、成形性のよい構成のプラスチックシート及び組立容器とすることができ、被収納物の周囲に視覚を損なうことなく空間部を保ちながら、被収納物を確実に安定して収納することができ、容器の組立も、商品の収納も、商品の固定も簡便であり、展示用に好適である。
【図面の簡単な説明】
【図１】本発明に係るプラスチックシートの展開状態を示す正面図である。
【図２】プラスチックシートを組み立てた組立容器の斜視図である。
【図３】図２の組立容器の蓋面部分を示し、（Ａ）はその部分断面図、（Ｂ）は上面図である。
【図４】組立容器の縦断面図である。
【図５】本発明の別の一例を示す組立容器の上面図である。
【符号の説明】
１　　　　側板部
１ａ　　　容器本体部
２　　　　糊代部
３　　　　平坦面部
４　　　　折り曲げ罫線
５，６　　蓋面
５ａ，６ａ　　縁部
５ｂ，６ｂ　　段部
５ｃ，６ｃ　　内凸部
５ｄ，６ｄ　　内凹部
７，８　　ヒンジ
９　　　　傾斜面部
Ｓ　　　　被収納物
Ｓ１　　　キャップ
Ｗ　　　　空間部
【図１】
2004115083.tif 000003
【図２】
2004115083.tif 000004
【図３】
2004115083.tif 000005
【図４】
2004115083.tif 000006
【図５】
2004115083.tif 000007